Podtech/llm-jp-corpus-v4-ja_patent huggingface dataset:
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
レバー軸（２８）を中心に回転運動するために取り付けられたレバー（１４）と、
粉砕面を有する粉砕刃（１８）、前記の粉砕刃（１８）は粉砕刃回転軸（３２）を中心に回転するために取り付けられ、前記の粉砕刃回転軸（３２）は前記のレバー軸（２８）に少なくともほぼ平行であり、および
回転運動を前記のレバー(１４)から前記の粉砕刃（１８）に伝達するために前記の粉砕刃（１８）に回転するように連結しかつ前記レバー（１４）に回転するように連結したリンケージ（２０）からなり、
前記の粉砕刃（１８）がその周辺（３４）に沿って段階的な一組の粉砕用突起部を有することを特徴とする、
ミル（１０）用の粉砕装置（１６）。
【請求項２】
前記のリンケージ（２０）が細長く、第一先端部（４８）と前記の第一先端部（４８）と対向する第二先端部（５０）を有し、前記のリンケージ（２０）の第一先端部（４８）は前記のレバー軸（２８）から間隔をあけて前記のレバー（１４）に回転するように連結し、前記のリンケージ（２０）の第二先端部（５０）は前記の粉砕刃回転軸（３２）から間隔をあけて粉砕刃（１８）に回転するように連結することを特徴とする、請求項１に記載の粉砕装置（１６）。
【請求項３】
前記のリンケージ（２０）が前記の粉砕刃回転軸（３２）に平行でない面（５１）で移動することを特徴とする、請求項１に記載の粉砕装置（１６）。
【請求項４】
前記のリンケージ（２０）が前記の粉砕刃回転軸（３２）に対して少なくともほぼ垂直である面（５１）で移動することを特徴とする、請求項１に記載の粉砕装置（１６）。
【請求項５】
さらに、粉砕される素材を受け取るため前記の粉砕刃（１８）に向かい合わせ、間隔をあけた係合面（３８）を有する係合部材（４０）を含むことを特徴とする、請求項１に記載の粉砕装置（１６）。
【請求項６】
さらに、粉砕される素材を受け取るため前記の粉砕刃（１８）に向かい合わせ、間隔をあけた係合面（３８）を有する係合部材（４０）、前記の係合部材（４０）は前記の粉砕刃（１８）に向かって、および離れて回転するために取り付けられ、並びに、
前記の粉砕刃（１８）と前記の係合部材（４０）の係合面（３８）の間隔を選択的に調整するために、前記の係合部材（４０）を回転するために前記の係合部材（４０）の一部にかみ合わせるカム面を含むことを特徴とする、請求項１に記載の粉砕装置（１６）。
【請求項７】
さらに、中立位置に向かって前記のレバー（１４）を移動させるバネ（５４）を含むことを特徴とする、請求項１に記載の粉砕装置（１６）。
【請求項８】
前記の粉砕刃（１８）が円筒状であることを特徴とする、請求項１に記載の粉砕装置（１６）。
【請求項９】
前記の段階的な一組の粉砕用突起部（６０、６５）が、第一角度位置（６２）と第二角度位置（６４）の間の前記の粉砕刃（１８）の周辺（３４）に一組の段階的な歯（６０）の形であることを特徴とする、請求項１に記載の粉砕装置（１６）。
【請求項１０】
前記の段階的な一組の粉砕用突起部（６０、６５）が、第一角度位置（６２）と第二角度位置（６４）の間の前記の粉砕刃（１８）の周辺（３４）に段階的なギザギザの表面（６５）の形であることを特徴とする、請求項１に記載の粉砕装置（１６）。
【請求項１１】
請求項１から１０のいずれか１項に従う粉砕装置（１６）を含む、香辛料または穀物類を粉砕するためのミル。
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
少なくとも１つの折り畳み部分を有する表面を有する対象物の画像における画像データを獲得及び処理するデータ獲得手段及びデータ処理手段を有する医用ビューイングシステムであって、
前記データ処理手段は、
前記対象物の表面を識別するために前記画像データをセグメント化するセグメンテーション手段と、
前記折り畳み部分のない前記対象物の表面の近似表面を表し、同時に少なくとも１つのフラットパッチを有する基準表面を決定するよう前記セグメント化された対象物の表面データを近似させる処理手段と、
前記基準表面の各パッチについて、前記パッチへの垂線が前記対象物の表面と交差する点を決定し、１つ以上の点において前記対象物の表面と交差する垂線を有する前記基準表面のパッチを、折り畳み部分に対応するパッチとして識別する解析手段と、
を有し、
前記医用ビューイングシステムは、前記対象物の画像、及び／又は、前記処理された画像を視覚化する画像視覚化手段を更に有する、システム。
【請求項２】
折り畳み部分パッチと称する前記折り畳み部分に対応するパッチに、前記基準表面に対応する画像データが視覚化されるときに、前記折り畳み部分パッチに対応する場所に第１の視覚的指示を生成するよう適応されるコード値を割当てるデータ処理手段を更に有する請求項１記載の医用ビューイングシステム。
【請求項３】
折り畳み部分パッチとして識別される前記基準表面のパッチに関する折り畳み部分属性データを決定するデータ処理手段を更に有する請求項１又は２記載の医用ビューイングシステム。
【請求項４】
前記決定された折り畳み部分属性データは、前記基準表面の前記パッチへの前記垂線が前記対象物の表面と交差する点の数、及び／又は、前記基準表面と前記基準表面の前記パッチへの前記垂線が前記対象物の表面と交差する前記点との間の各距離、及び／又は、前記基準表面の前記パッチへの前記垂線が前記対象物の表面と交差する選択された点の間の距離を有する請求項３記載の医用ビューイングシステム。
【請求項５】
前記折り畳み部分に対応する前記パッチを識別する前記データ処理手段と、前記折り畳み部分属性データを決定する前記データ処理手段は、前記基準表面から閾値の距離以上離れていない点のみを考慮に入れる閾値手段を有する請求項３又は４記載の医用ビューイングシステム。
【請求項６】
前記基準表面に対応する画像データが視覚化されるときに１つ以上のタイプの折り畳み部分属性データを選択する選択手段を更に有する請求項３乃至５のうちいずれか一項記載の医用ビューイングシステム。
【請求項７】
前記選択された１つ以上のタイプの折り畳み部分属性データに、前記基準表面に対応する画像データが視覚化されるときに、前記折り畳み部分パッチに対応する場所にそれぞれ異なる第２の視覚的指示を生成するよう適応されるコード値を割当てるコード付け処理手段を更に有する請求項６記載の医用ビューイングシステム。
【請求項８】
潜在的な異常と折り畳み部分属性データの関連付けられるセットのデータベースを与え、前記折り畳み部分パッチについて決定される折り畳み部分属性データと前記データベースの１つ以上の前記折り畳み部分属性データのセットとを比較し、第１の折り畳み部分パッチについてマッチが見つかる場合、前記第１の折り畳み部分パッチに潜在的異常フラグを関連付けるデータ処理手段を更に有する請求項３乃至７のうちいずれか一項記載の医用ビューイングシステム。
【請求項９】
前記画像視覚化手段は、表示装置及び／又は印刷装置を有する請求項１乃至８のうちいずれか一項記載の医用ビューイングシステム。
【請求項１０】
特別にプログラムされた汎用コンピュータとして実施される請求項１乃至９のうちいずれか一項記載の医用ビューイングシステム。
【請求項１１】
請求項１乃至１０のうちいずれか一項記載の医用ビューイングシステムのデータ処理手段に、少なくとも１つの折り畳み部分を有する表面を有する対象物の対象物画像における画像データを獲得及び処理する段階を行わせる画像処理方法であって、
前記対象物の表面を識別するよう前記画像データをセグメント化する段階と、
折り畳み部分のない前記対象物の表面の近似表面を表し、同時に少なくとも１つのフラットパッチを有する基準表面を決定するよう前記対象物の表面データを処理する段階と、
前記基準表面の各パッチについて、前記パッチへの前記垂線が前記対象物の表面と交差する点を決定する段階と、
１つ以上の点において前記対象物の表面と交差する垂線を有する前記基準表面のパッチを、折り畳み部分に対応するパッチとして識別する段階と、
を有する方法。
【請求項１２】
医用画像データを獲得する獲得手段と、
前記医用画像を表示する画像化手段と、
請求項１乃至１０のうちいずれか一項記載の医用ビューイングシステムと、
を有する医療検査装置。
【請求項１３】
汎用コンピュータ上で使用される場合に、前記コンピュータに、請求項１１記載の方法の段階を実行させる一組の命令を有するコンピュータプログラム。
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
ブラケットを歯に結合するための基部を有する歯列矯正ブラケットと、
前記ブラケットの前記基部上の少なくとも２液型接着剤の第１液であって、重合可能成分、重合開始剤、および前記第１液の総重量を基準にして少なくとも１０重量％の、シリカフィラーを含むフィラーを含む第１液（但し、第１液は、光硬化接着剤ではない。）と、
前記第１液と接触している表面を含む剥離基材と、
を含む物品。
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
患者の気道内に配置される気管支内デバイスであって、
気道内に配置されたときには肺部分内へのエア流入を阻止する閉塞部材と；
この閉塞部材が既に気道内に配置されているときに、前記閉塞部材に対して係合し得るよう構成されたアンカー止め部材と；
を具備していることを特徴とする気管支内デバイス。
【請求項２】
請求項１記載の気管支内デバイスにおいて、
前記アンカー止め部材が、前記閉塞部材と気道壁とに対して穿孔により係合することによって気道内に前記閉塞部材をアンカー止めし得るよう構成された少なくとも１つの突起を備えていることを特徴とする気管支内デバイス。
【請求項３】
請求項１または２記載の気管支内デバイスにおいて、
前記少なくとも１つの突起が、複数の逆棘を有していることを特徴とする気管支内デバイス。
【請求項４】
請求項１または２または３記載の気管支内デバイスにおいて、
前記アンカー止め部材が、ベースと；このベース上に設けられた支持部材と；を備え、
前記支持部材が、前記閉塞部材をアンカー止めするための突起を有していることを特徴とする気管支内デバイス。
【請求項５】
請求項４記載の気管支内デバイスにおいて、
前記突起が、係止部を有し、
この係止部が、前記突起による前記穿孔を制限するように作用することを特徴とする気管支内デバイス。
【請求項６】
請求項５記載の気管支内デバイスにおいて、
前記係止部が、前記支持部材と前記突起との間に位置した広幅領域を有していることを特徴とする気管支内デバイス。
【請求項７】
請求項１〜６のいずれか１項に記載の気管支内デバイスにおいて、
前記アンカー止め部材が、元々の無歪み形状を有し、
前記アンカー止め部材が、歪み形状から元々の無歪み形状へと付勢していることを特徴とする気管支内デバイス。
【請求項８】
請求項１〜７のいずれか１項に記載の気管支内デバイスにおいて、
前記アンカー止め部材が、バルーンによって圧潰形状から拡径形状へと拡径され得るものとされ、このような拡径形状への拡径によって、前記閉塞部材と気道とに対して係合することを特徴とする気管支内デバイス。
【請求項９】
請求項１〜８のいずれか１項に記載の気管支内デバイスにおいて、
前記閉塞部材が、一方向バルブとされていることを特徴とする気管支内デバイス。
【請求項１０】
請求項１〜９のいずれか１項に記載の気管支内デバイスにおいて、
前記アンカー止め部材が、使用時に気道から取り外され得るよう、圧潰可能なものとされていることを特徴とする気管支内デバイス。
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
ある量の光硬化性材料と、
該光硬化性材料を少なくとも部分的に取り囲み、かつポリマーおよび金属粒子を含む容器と、
を備え、そして前記金属粒子が前記ポリマー中に分散されている、パッケージ化物品。
【手続補正２】
【補正対象書類名】明細書
【補正対象項目名】発明の名称
【補正方法】変更
【補正の内容】
【発明の名称】パッケージ化物品
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
穿通部材ドライバと共に用いて組織を穿通する装置であって、
複数の穿通部材を有する単一カートリッジと、
前記穿通部材により生成された組織の創傷から体液を受け取るように位置決めされた複数の検体検出部材と、
を含むことを特徴とする装置。
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
第１の光路（ａ）を画定する手段（２２、４２）と、
前記第１の光路（ａ）からの光を第２の光路（ｂ）に沿って方向転換し、第１の窓（２４、４４）を通って被験者の目（２９、４９）に出射させるよう配置される反射手段（２３、４３）と、
前記第２の光路（ｂ）に対して略平行に延在する路（ｄ）に沿ってユーザが被験者の目（２９、４９）を見るための第２の窓（２５、４５）と、
前記第２の窓（２５、４５）を通って検眼鏡から出射されるあらゆる光を防止または少なくとも実質的に減少する、第１の光路（ａ）と第２の窓（２５、４５）との間に配置されるバフル（２３、２６；４３、４６）と、
を含む、レンズのない検眼鏡（２１、４１）。
【請求項２】
前記第１の光路（ａ）を画定する手段（２２、４２）が管を含む、請求項１記載のレンズのない検眼鏡（２１、４１）。
【請求項３】
前記管（２２、４２）の少なくとも外面が不透明である、請求項２記載のレンズのない検眼鏡（２１、４１）。
【請求項４】
前記管（２２、４２）の内面が非反射型である、請求項２または３記載のレンズのない検眼鏡（２１、４１）。
【請求項５】
前記反射手段（２３、４３）がミラーを含む、請求項１〜４のいずれかに記載のレンズのない検眼鏡（２１、４１）。
【請求項６】
前記ミラー（２３、４３）が半円形である、請求項５記載のレンズのない検眼鏡（２１、４１）。
【請求項７】
前記反射手段（２３、４３）が、前記第１の光路（ａ）および／または前記第２の光路（ｂ）に対して約４５°に傾斜している、請求項１〜６のいずれかに記載のレンズのない検眼鏡（２１、４１）。
【請求項８】
前記反射手段（２３、４３）がプリズムを含む、請求項１〜４のいずれかに記載のレンズのない検眼鏡（２１、４１）。
【請求項９】
前記第１の窓（２４、４４）がアパーチャである、請求項１〜８のいずれかに記載のレンズのない検眼鏡（２１、４１）。
【請求項１０】
前記第２の窓（２５、４５）がアパーチャである、請求項１〜９のいずれかに記載のレンズのない検眼鏡（２１、４１）。
【請求項１１】
前記反射手段（２３、４３）がバフル（２３、２６；４３、４６）に取り付けられる、請求項１〜１０のいずれかに記載のレンズのない検眼鏡（２１、４１）。
【請求項１２】
前記バフル（２３、２６）がフランジ（２６）を含む、請求項１〜１１のいずれかに記載のレンズのない検眼鏡（２１、４１）。
【請求項１３】
前記バフル（４３、４６）がブロック（４６）を含む、請求項１〜１１のいずれかに記載のレンズのない検眼鏡（２１、４１）。
【請求項１４】
使用中、前記バフル（２３、２６；４３、４６）が、前記第１の光路（ａ）に沿って通る実質的にあらゆる光が、前記第２の窓（２５、４５）からどの光もまたは実質的にどの光も出射されずに前記第２の光路（ｂ）に沿って方向転換されることを確実にする、請求項１〜１３のいずれかに記載のレンズのない検眼鏡（２１、４１）。
【請求項１５】
前記バフルが前記第２の窓を部分的におおい隠す、請求項１〜１４のいずれかに記載のレンズのない検眼鏡。
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
低温療法装置において、
基端及び末端を有する細長い軸と、
末端に配置された冷却部材であって、外側部材及び内側部材を有する前記冷却部材と、
前記細長い軸内に配置された膨張管と、
前記細長い軸内に配置された排出管と、
内側部材に対する圧力測定装置とを備える、低温療法装置。
【請求項２】
請求項１に記載の低温療法装置において、圧力測定装置が内側部材に直結される、低温療法装置。
【請求項３】
請求項１に記載の低温療法装置において、細長い軸の基端に配置されたマニホルドを更に備える、低温療法装置。
【請求項４】
請求項３に記載の低温療法装置において、圧力ゲージがコネクタによりマニホルドに結合される、低温療法装置。
【請求項５】
請求項１に記載の低温療法装置において、圧力ゲージが歪みゲージを備える、低温療法装置。
【請求項６】
請求項１に記載の低温療法装置において、圧力ゲージがヒューズリンクを有する、低温療法装置。
【請求項７】
請求項１に記載の低温療法装置において、圧力ゲージが光学変換器と、光ファイバ出力部とを有する、低温療法装置。
【請求項８】
請求項１に記載の低温療法装置において、内側部材が外面及び内面を更に備える、低温療法装置。
【請求項９】
請求項８に記載の低温療法装置において、圧力測定装置が内面に配置される、低温療法装置。
【請求項１０】
請求項８に記載の低温療法装置において、圧力測定装置が外面に配置される、低温療法装置。
【請求項１１】
請求項８に記載の低温療法装置において、内側部材の内面に結合されたレリーフカッターを更に備える、低温療法装置。
【請求項１２】
請求項１１に記載の低温療法装置において、エネルギ源が無線周波数エネルギ源である、低温療法装置。
【請求項１３】
請求項１１に記載の低温療法装置において、エネルギ源が、光ファイバケーブルにより逃がし弁に接続されたレーザエネルギ源である、低温療法装置。
【請求項１４】
請求項１１に記載の低温療法装置において、エネルギ源が、逃がし弁に機械的に結合された超音波エネルギ源である、低温療法装置。
【請求項１５】
請求項１に記載の低温療法装置において、基端と、末端と、貫通して延びる管腔とを有する圧力解放管を更に備える、低温療法装置。
【請求項１６】
請求項１５に記載の低温療法装置において、圧力解放管が内側部材と流体的に連通している、低温療法装置。
【請求項１７】
請求項１６に記載の低温療法装置において、圧力解放管が、その基端に配置された取り外し可能な弁を更に備える、低温療法装置。
【請求項１８】
請求項１５に記載の低温療法装置において、圧力解放管が、その末端に配置された感圧型弁を更に備える、低温療法装置。
【請求項１９】
請求項１５に記載の低温療法装置において、圧力解放管に結合されたヒューズリンクを更に備える、低温療法装置。
【請求項２０】
請求項１９に記載の低温療法装置において、ヒューズリンクが、圧力解放管内で開口部に配置され、ヒューズリンクが圧力ゲージに結合される、低温療法装置。
【請求項２１】
低温療法装置において、
基端及び末端を有する細長い軸と、
基端に配置されたマニホルドと、
末端に配置された冷却部材であって、内側部材及び外側部材を有する前記冷却部材と、
コネクタによりマニホルドに結合された圧力ゲージと、
軸内に配置された膨張管と、
軸内に配置された排出管と、
内側部材と流体的に連通した圧力解放管とを備える、低温療法装置。
【請求項２２】
請求項２１に記載の低温療法装置において、圧力ゲージが歪みゲージを有する、低温療法装置。
【請求項２３】
請求項２１に記載の低温療法装置において、圧力ゲージがヒューズリンクを有する、低温療法装置。
【請求項２４】
請求項２１に記載の低温療法装置において、内側部材が外面及び内面を更に備える、低温療法装置。
【請求項２５】
請求項２４に記載の低温療法装置において、圧力ゲージが内面に結合される、低温療法装置。
【請求項２６】
請求項２４に記載の低温療法装置において、圧力ゲージが外面に結合される、低温療法装置。
【請求項２７】
請求項２１に記載の低温療法装置において、圧力解放管が、基端と、末端と、貫通して延びる管腔とを有する、低温療法装置。
【請求項２８】
請求項２７に記載の低温療法装置において、圧力解放管が、その基端に配置された取り外し可能な弁を更に備える、低温療法装置。
【請求項２９】
請求項２７に記載の低温療法装置において、圧力解放管が、その末端に配置された感圧型弁を更に備える、低温療法装置。
【請求項３０】
請求項２７に記載の低温療法装置において、圧力解放管に結合されたヒューズリンクを更に備え、ヒューズリンクが、圧力解放管内で開口部に配置され、ヒューズリンクが圧力ゲージに結合される、低温療法装置。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
常圧自己焼結法により形成した焼結炭化ケイ素マトリックスを含む炭化ケイ素の複合体であって、バインダーレス炭素同素体細粒が前記炭化ケイ素マトリックス全体に分布していることを特徴とする炭化ケイ素の複合体。
【請求項２】
前記バインダーレス炭素同素体細粒が、前記複合体の１．０乃至３５．０重量パーセントを構成する請求項１に記載の炭化ケイ素の複合体。
【請求項３】
炭化ケイ素の複合体を製造する方法であって、
ａ．成分：
ｉ．炭化ケイ素、
ｉｉ．焼結助剤、および
ｉｉｉ．非収縮性炭素のないバインダーレス炭素を生ずる前駆物質細粒、
を含む混合物を形成する工程、
ｂ．前記混合物を成形する工程、および
ｃ．前記成形した混合物を焼結する工程、
を含む方法。
【請求項４】
バインダーレス炭素を生ずる前駆物質の量が、前記混合物全体の１．０乃至３５．０重量パーセントの範囲内である請求項３に記載の方法。
【請求項５】
焼結助剤の量が、前記混合物全体の０．１乃至１５．０重量パーセントの範囲内である請求項３に記載の方法。
【請求項６】
炭化ケイ素の複合体を製造する方法であって、
ａ．ｉ．液状媒質、
ｉｉ．炭化ケイ素、
ｉｉｉ．焼結助剤、
ｉｖ．湿潤剤、
ｖ．凝集防止剤、
ｖｉ．炭素を生ずる有機化合物、
ｖｉｉ．一時的バインダー、
ｖｉｉｉ．有機潤滑剤、および
ｉｘ．非収縮性炭素のないバインダーレス炭素を生ずる前駆物質細粒、
を含む混合物を製造する工程、
ｂ．前記混合物をプレス加工して圧密化体を成形する工程、
ｃ．前記圧密化体を硬化する工程、
ｄ．前記圧密化体を炭化する工程、および
ｅ．前記圧密化体を焼結する工程、
を含む方法。
【請求項７】
前記混合物を製造する工程が、
ａ．炭化ケイ素および焼結助剤を液体媒質中で混練してスラリーを形成する工程、
ｂ．前記スラリーに湿潤剤および凝集防止剤を添加する工程、
ｃ．前記スラリーに非収縮性炭素のないバインダーレス炭素を生ずる前駆物質細粒を添加する工程、
ｄ．前記スラリーに炭素を生ずる有機化合物を添加する工程、
ｅ．前記スラリーに一時的バインダーを添加する工程、
ｆ．前記スラリーに潤滑剤を添加する工程、および
ｇ．前記スラリーを吹き付け乾燥する工程、
を含む請求項６に記載の炭化ケイ素の複合体を製造する方法。
【請求項８】
前記混合物を製造する工程が、
ａ．炭化ケイ素および焼結助剤を液体媒質中で混練してスラリーを形成する工程、
ｂ．前記スラリーに湿潤剤および凝集防止剤を添加する工程、
ｃ．前記スラリーに炭素を生ずる有機化合物を添加する工程、
ｄ．前記スラリーに一時的バインダーを添加する工程、
ｅ．前記スラリーに潤滑剤を添加する工程、
ｆ．前記スラリーを吹き付け乾燥する工程、および
ｇ．非収縮性炭素のないバインダーレス炭素を生ずる前駆物質細粒を吹き付け乾燥したスラリーと乾式混合する工程、
を含む請求項６に記載の炭化ケイ素の複合体を製造する方法。
【請求項９】
前記混合物をプレス加工し、そして硬化、炭化、焼結する工程が、
ａ．前記混合物を等方加圧して圧密化体を形成する工程、
ｂ．前記圧密化体を硬化して前記樹脂を重合する工程、
ｃ．前記圧密化体の素地機械加工をする工程、
ｄ．前記圧密化体を炭化する工程、および
ｅ．前記圧密化体を焼結する工程、
を含む請求項６に記載の炭化ケイ素の複合体を製造する方法。
【請求項１０】
前記混合物をプレス加工し、そして硬化、炭化、焼結する工程が、
ａ．前記混合物をダイ・プレス加工して圧密化体を形成する工程、
ｂ．前記圧密化体を硬化して前記樹脂を重合する工程、
ｃ．前記圧密化体を炭化する工程、および
ｄ．前記圧密化体を焼結する工程、
を含む請求項６に記載の炭化ケイ素の複合体を製造する方法。
【請求項１１】
前記バインダーレス炭素を生ずる前駆物質の量が、前記混合物全体の１．０乃至３５．０重量パーセントの範囲内である請求項６に記載の方法。
【請求項１２】
前記焼結助剤の量が、前記混合物全体の０．１乃至１５．０重量パーセントの範囲内である請求項６に記載の方法。
【請求項１３】
常圧自己焼結法により形成される焼結した炭化ケイ素を含む炭化ケイ素の複合体から形成されるトライボロジー用途で使用するための製品であって、バインダーレス炭素同素体細粒が前記炭化ケイ素マトリックス全体に分布していることを特徴とする製品。
【請求項１４】
前記炭化ケイ素の複合体が、メカニカル・フェイス・シールの成分である請求項１３に記載の製品。
【請求項１５】
前記バインダーレス炭素同素体細粒が、前記複合体の１．０乃至３５．０重量パーセントを構成する請求項１３に記載の製品。
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
コールデータを生成する手段と、１つ以上のエレベータ列のグループ制御システムにコールデータを送信する手段とを含み、前記グループ制御システムは、前記コールデータを処理してグループコールデータを生成し、該グループコールデータをエレベータ列のエレベータ制御手段に配信する乗客案内システムであって、該案内システムは表示装置を含み、該装置は、１つ以上のグループ制御システムについての前記グループコールデータを表示するのに用いられる乗客案内システムにおいて、前記表示装置のディスプレイに表示される前記フロアコールデータの少なくとも一部は、仮想的なフロアコールデータであることを特徴とする乗客案内システム。
【請求項２】
請求項１に記載の案内システムにおいて、前記表示装置のディスプレイに表示される前記仮想的なフロアコールデータは、エレベータカー内のコール入力装置によって、フロアコールとして作動することを特徴とする案内システム。
【請求項３】
請求項１または２に記載の案内システムであって、前記表示装置のディスプレイに表示されるデータは、さらに、コールが入力されたフロアへのエレベータの到着時間と、目的階までのエレベータの移動時間と、エレベータの状態情報とを含む案内システムにおいて、前記表示装置上のデータはさらに、目的階モードおよび／または通常モードで運転されるエレベータに関する情報を含むことを特徴とする案内システム。
【請求項４】
乗客案内用表示装置であって、
−  該表示装置は、１つ以上のグループ制御システムから到来するグループコールデータを受信する受信手段を含み、
−  該表示装置の表示要素は単一のディスプレイを形成し、該ディスプレイは、少なくとも、フロアコールデータを表示するのに用いられ、該コールデータは、少なくとも、複数のエレベータに割り当てられた、エレベータ識別データおよび目的階データを含む乗客案内用表示装置において、前記ディスプレイに表示される前記フロアコールデータの少なくとも一部は、仮想的なフロアコールデータで構成されることを特徴とする表示装置。
【請求項５】
請求項４に記載の表示装置であって、前記フロアコールデータはさらに、コールが入力されたフロアへのエレベータの到着時間および目的階までのエレベータ移動時間に関する情報と、エレベータの状態情報とを含む表示装置において、前記フロアコールデータはさらに、目的階モードおよび／または通常モードで運転されるエレベータに関する情報を含むことを特徴とする表示装置。
【請求項６】
請求項４または５に記載の表示装置において、前記表示装置の受信手段は、カーコールデータを受信するのにも用いられ、該データは前記ディスプレイに表示されることを特徴とする表示装置。
【請求項７】
請求項４ないし６のいずれかに記載の表示装置において、エレベータ識別データのうち、エレベータ列および／またはエレベータロビーのみが表示されることを特徴とする表示装置。
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
ヴァルデコキシブまたはその医薬上許容しうる塩とアルファ−２−デルタリガンド
［但し、式
【化１】
2005523281.tif 000001
（式中、Ｒ1およびＲ2は、それぞれ独立してＨ、炭素原子１〜６個の直鎖または分枝アルキル、炭素原子３〜６個のシクロアルキル、フェニルおよびベンジルから選ばれ、その際、式(XVIIa)の化合物の場合を除いてＲ1およびＲ2がそれぞれ同時に水素であることはな
い）の化合物ではない］またはその医薬上許容しうる塩の組合せ。
【請求項２】
アルファ−２−デルタリガンドがガバペンチンである、請求項１に記載の組合せ。
【請求項３】
アルファ−２−デルタリガンドがプレガバリンである、請求項１に記載の組合せ。
【請求項４】
アルファ−２−デルタリガンドが、３−（１−アミノメチル−シクロヘキシルメチル）−４Ｈ−[１,２,４]オキサジアゾール−５−オン塩酸塩と称する化合物である、請求項１に記載の組合せ。
【請求項５】
アルファ−２−デルタリガンドが、（３Ｓ,４Ｓ）−（１−アミノメチル−３,４−ジメチル−シクロペンチル）−酢酸と称する化合物、またはその医薬上許容しうる塩である、請求項１に記載の組合せ。
【請求項６】
請求項１に記載の組合せおよび医薬上許容しうる担体、希釈剤または賦形剤を含む医薬組成物。
【請求項７】
請求項２〜５のいずれか１項に記載の組合せおよび医薬上許容しうる担体、希釈剤または賦形剤を含んでなる、請求項６に記載の医薬組成物。
【請求項８】
哺乳動物における軟骨損傷、炎症、変形性関節症、慢性関節リウマチ、乾癬性関節炎、または疼痛の治療に有効な医薬の製造における請求項１に記載の組合せの使用。
【請求項９】
組合せが請求項２〜５のいずれか１項による、請求項８に記載の使用。
【請求項１０】
請求項１〜５のいずれか１項に記載の組合せを含有する、軟骨損傷、炎症、変形性関節症、慢性関節リウマチ、乾癬性関節炎または疼痛の治療用医薬。
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
１つの投与形態あるいは２つの分離した投与形態中に、トリプシン阻害剤と遊離状態の全ての必須アミノ酸とを、唯一全ての活性成分として含む、体重を減少させるための経口投与組成物。
【請求項２】
前記トリプシン阻害剤と前記アミノ酸とが一つの結合した投与形態の中に含まれる請求項１記載の組成物。
【請求項３】
前記トリプシン阻害剤が、大豆トリプシン阻害剤、卵白トリプシン阻害剤、アルファ１アンチトリプシン、アルファ２マクログロブリン、トリプスタチン、またはアプロチニンである請求項１記載の組成物。
【請求項４】
体重を減少させるためのキットであって、トリプシン阻害剤と、遊離状態の必須アミノ酸全てとを含むことを特徴とするキット。
【請求項５】
前記トリプシン阻害剤は、毎日の栄養からタンパク質の吸収を妨げることを特徴とする請求項４に記載のキット。
【請求項６】
前記遊離状態の必須アミノ酸全ては、毎日の栄養のタンパク質の中の通常の部分である必須アミノ酸の取得の減少を補完することを特徴とする請求項４に記載のキット。
【請求項７】
前記トリプシン阻害剤と、前記遊離状態の必須アミノ酸全てとは、１つの投与形態または２つの分離した投与形態に含まれることを特徴とする請求項４に記載のキット。
【請求項８】
前記トリプシン阻害剤と、前記遊離状態の必須アミノ酸全てとは、経口投与可能な形態であることを特徴とする請求項４に記載のキット。
【請求項９】
前記トリプシン阻害剤は、卵白由来のトリプシン阻害剤（卵白トリプシン阻害剤）、大豆由来のトリプシン阻害剤（大豆トリプシン阻害剤）、アルファ１アンチトリプシン、アルファ２マクログロブリン、トリプスタチン、またはアプロチニンである請求項４〜８のいずれか１項に記載のキット。
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
カルニチンパルミトイルトランスフェラーゼ-1（CPT-1）活性を促進する薬剤を含む、体重減少を誘導するための治療用組成物。
【請求項２】
前記薬剤が、以下の化学式：
【化１】
2005523270.tif 000001
式中、Rは以下からなる基から選択された置換基である：
【化２】
2005523270.tif 000002
式中、
R1及びR2は同じか異なるものであり、H、CH3、C2H5、C3H7、C4H9、CF3、OCH3、F、ClまたはBrであり；
R3はH、CH3、C2H5、C3H7、C4H9、COOH、COOCH3、COOC2H5、COOC2H5、または、COOC4H9であり；
R4はH、CH3、C2H5、C3H7、または、C4H9であり；
XはNH、S、または、Oであり；
ZはCH2、O、NH、またはSであり；
iは1から5であり；
jは0から10であり；
kは1から10であり；
mは1から13であり；そして、
nは1から15である；
の化合物である、請求項1に記載の治療用組成物。
【請求項３】
L-カルニチンをさらに含む、請求項2に記載の治療用組成物。
【請求項４】
前記薬剤が、FASを有意には阻害しない、請求項1〜3のいずれか1項に記載の治療用組成物。
【請求項５】
CPT-1活性を促進する薬剤を含む、体重を安定させるための治療用組成物。
【請求項６】
前記薬剤が、以下の化学式：
【化３】
2005523270.tif 000003
式中、Rは以下からなる基から選択された置換基である：
【化４】
2005523270.tif 000004
式中、
R1及びR2は同じか異なるものであり、H、CH3、C2H5、C3H7、C4H9、CF3、OCH3、F、ClまたはBrであり；
R3はH、CH3、C2H5、C3H7、C4H9、COOH、COOCH3、COOC2H5、COOC2H5、または、COOC4H9であり；
R4はH、CH3、C2H5、C3H7、または、C4H9であり；
XはNH、S、または、Oであり；
ZはCH2、O、NH、またはSであり；
iは1から5であり；
jは0から10であり；
kは1から10であり；
mは1から13であり；そして、
nは1から15である；
の化合物である、請求項5に記載の治療用組成物。
【請求項７】
L-カルニチンをさらに含む、請求項6に記載の治療用組成物。
【請求項８】
前記薬剤が、FASを有意には阻害しない、請求項5〜7のいずれか1項に記載の治療用組成物。
【請求項９】
体重減少の候補薬剤がCPT-1活性を促進するかを決定し；そして、CPT-1活性を促進する薬剤を選択することを含む、体重減少を誘導する薬剤をスクリーニングする方法。
【請求項１０】
栄養的に十分な量の脂肪、炭水化物、及び、アミノ酸を含む栄養的な組成物であって、さらにL-カルニチン、及び、CPT-1のマロニルCoA阻害のアンタゴニストを含む、前記組成物。
【請求項１１】
CPT-1のマロニルCoA阻害のアンタゴニストが、FASを有意には阻害しない、請求項10に記載の栄養的な組成物。
【請求項１２】
CPT-1のマロニルCoA阻害のアンタゴニストが、以下の化学式：
【化５】
2005523270.tif 000005
式中、Rは以下からなる基から選択された置換基である：
【化６】
2005523270.tif 000006
式中、
R1及びR2は同じか異なるものであり、H、CH3、C2H5、C3H7、C4H9、CF3、OCH3、F、ClまたはBrであり；
R3はH、CH3、C2H5、C3H7、C4H9、COOH、COOCH3、COOC2H5、COOC2H5、または、COOC4H9であり；
R4はH、CH3、C2H5、C3H7、または、C4H9であり；
XはNH、S、または、Oであり；
ZはCH2、O、NH、またはSであり；
iは1から5であり；
jは0から10であり；
kは1から10であり；
mは1から13であり；そして、
nは1から15である；
の化合物である、請求項10または11に記載の栄養的な組成物。
【請求項１３】
以下の化学式：
【化７】
2005523270.tif 000007
式中、Rは以下からなる基から選択された置換基である：
【化８】
2005523270.tif 000008
式中、
R1及びR2は同じか異なるものであり、H、CH3、C2H5、C3H7、C4H9、CF3、OCH3、F、ClまたはBrであり；
R3はH、CH3、C2H5、C3H7、C4H9、COOH、COOCH3、COOC2H5、COOC2H5、または、COOC4H9であり；
R4はH、CH3、C2H5、C3H7、または、C4H9であり；
XはNH、S、または、Oであり；
ZはCH2、O、NH、またはSであり；
iは1から5であり；
jは0から10であり；
kは1から10であり；
mは1から13であり；そして、
nは1から15である；
の化合物の、除脂肪体重を維持しながら肥満性を減少させるための医薬の製造における使用。
【請求項１４】
CPT-1活性を促進するがFASを有意には阻害しない薬剤の、除脂肪体重を維持しながら肥満性を減少させるための医薬の製造における使用。
【手続補正２】
【補正対象書類名】明細書
【補正対象項目名】０００５
【補正方法】変更
【補正の内容】
【０００５】
一つの態様において、本発明は、ヒト患者を含む必要とする患者にカルニチンパルミトイルトランスフェラーゼ-1（CPT-1）活性を促進する薬剤を投与することを含む、体重減少を誘導する方法を提供する。好ましい様式において、その薬剤は、脂肪酸酸化を増加するのに十分な量で投与される。別の好ましい様式において、その薬剤は、CPT-1のマロニルCoA阻害に拮抗するのに十分な量で投与される。さらに別の好ましい様式において、その薬剤はマロニルCoAレベルの増加に十分な量で投与される。さらに別の好ましい様式において、その薬剤の投与に際して、マロニルCoAレベルは実質上は増加しない。本明細書中で意図されるマロニルCoAの実質的な増加は、CPT-1のマロニルCoA阻害のKiの約2分の1と等しい。さらに好ましい様式において、CPT-1活性を促進するその薬剤はまた、脂肪酸合成酵素（FAS）を阻害する。他の様式において、FASは有意に阻害されない。本明細書で意図される有意でない阻害は、15％より少なく、好ましくは10％より少なく、そしてさらに好ましくは5％阻害より少ない。FAS活性のアッセイの方法は、本明細書中で参考文献として援用される、アメリカ合衆国特許番号5,981,575に開示されている。上記態様の好ましい様式において、CPT-1活性を促進するその薬剤は、以下の化学式の化合物であり、
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
アセチルＬ−カルニチンまたはその医薬上許容される塩を含む、老人対象におけるうつ病の治療に有用な医薬組成物、ここで、アセチルＬ−カルニチンまたはその医薬上許容される塩は、１日当たり３ｇの用量で少なくとも１２週間投与される。
【請求項２】
医薬上許容される塩が、塩化物；臭化物；ヨウ化物；アスパラギン酸塩、酸アスパラギン酸塩；クエン酸塩、酸クエン酸塩；酒石酸塩；酸酒石酸塩；リン酸塩、酸リン酸塩；フマル酸塩、酸フマル酸塩；グリセロリン酸塩；グルコースリン酸塩；乳酸塩；マレイン酸塩、酸マレイン酸塩；ムケート；オロチン酸塩；シュウ酸塩；酸シュウ酸塩；硫酸塩、酸硫酸塩；トリクロロ酢酸塩；トリフルオロ酢酸塩、メタンスルホン酸塩；パモ酸塩および酸パモ酸塩からなる群から選択される、請求項１の医薬組成物。
【請求項３】
アセチルＬ−カルニチンまたはその医薬上許容される塩を、医薬上許容される賦形剤および／または媒体と組み合わせて含む請求項１または２の医薬組成物。
【請求項４】
食餌サプリメントの形態である請求項１−３のいずれかの医薬組成物。
【請求項５】
経口、非経口、直腸、舌下、経皮または経鼻投与に好適なものである、請求項１−４のいずれかの医薬組成物。
【請求項６】
徐放性形態である、請求項５の医薬組成物。
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
（ａ）医薬としての、式(I)のグルココルチコイド
【化１】
2005523267.tif 000001
［式中、Rはフラン-2-イルまたは4-メチル-1,3-チアゾール-5-イルを示す。］
またはその溶媒和物、及び
（ｂ）水性担体液中への医薬の溶解を補助する可溶化剤、
を溶解した水性担体液を含有する医薬製剤。
【請求項２】
Rがフラン-2-イルを示す、請求項１記載の医薬製剤。
【請求項３】
Rが4-メチル-1,3-チアゾール-5-イルを示す、請求項１記載の医薬製剤。
【請求項４】
可溶化剤が界面活性剤である、請求項１〜３のいずれか１項記載の医薬製剤。
【請求項５】
界面活性剤がα-[4-(1,1,3,3-テトラメチルブチル)フェニル]-ω-ヒドロキシポリ(オキシ-1,2-エタンジイル)ポリマー（オクチルフェノキシポリエトキシエタノールとしても知られている）、及びホルムアルデヒド及びオキシランを含む4-(1,1,3,3-テトラメチルブチル)フェノールポリマーからなる群から選択される、請求項４記載の医薬製剤。
【請求項６】
界面活性剤がホルムアルデヒド及びオキシランを含む4-(1,1,3,3-テトラメチルブチル)フェノールポリマーである、請求項５記載の医薬製剤。
【請求項７】
更にヒドロキシ含有有機共溶媒和剤またはホスファチジルコリンを溶解した、請求項１〜６のいずれか１項記載の医薬製剤。
【請求項８】
ヒドロキシ含有有機共溶媒和剤がデキストロースである、請求項７記載の医薬製剤。
【請求項９】
ポリソルベート、グリセリン、ベンジルアルコール、ポリオキシエチレンヒマシ油誘導体、ポリエチレングリコール、及びポリオキシエチレンアルキルエーテルからなる群から選択される１以上の可溶化剤を有する、請求項１〜８のいずれか１項記載の医薬製剤。
【請求項１０】
可溶化剤が、ポリソルベート80、ポリオキシル35ヒマシ油、ポリオキシ40水素添加ヒマシ油、及びポリオキシル35ヒマシ油／ポリエチレングリコール200混合物からなる群から選択される、請求項９記載の医薬製剤。
【請求項１１】
等張化剤として塩化物を含有する、請求項１〜１０のいずれか１項記載の医薬製剤。
【請求項１２】
別の治療的活性剤を含有する、請求項１〜１１のいずれか１項記載の医薬製剤。
【請求項１３】
別の治療的活性剤が抗ヒスタミン剤または抗アレルギー剤である、請求項１２記載の医薬製剤。
【請求項１４】
計量バルブを備え、請求項１〜１３のいずれか１項記載の医薬製剤を含む容器。
【請求項１５】
請求項１４記載の容器を含む、医薬製剤の鼻内送達に適合した装置。
【請求項１６】
炎症及び／またはアレルギー状態にある患者の治療のためのヒトまたは動物用医薬において使用するための、請求項１〜１３のいずれか１項記載の医薬製剤。
【請求項１７】
炎症及び／またはアレルギー状態にある患者の治療のための医薬の製造における、請求項１〜１３のいずれか１項記載の製剤の使用。
【請求項１８】
１日１回の治療のための、請求項１７記載の使用。
【請求項１９】
請求項１〜１３のいずれか１項記載の医薬製剤の調製方法であって、
（ａ）高温（典型的には60-70℃）で、希釈していない界面活性剤中に式(I)のグルココルチコイドを溶解し、
（ｂ）他の製剤成分と共に熱水（典型的には60-70℃）を添加して活性成分の所望の濃度を達成し、
（ｃ）必要であれば最終溶液のpHを調整し、
（ｄ）熱溶液を濾過して残った粒子状物質を除去する、
ことを含む、上記方法。
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
４−（３’−クロロ−４’−フルオロアニリノ）−７−メトキシ−６−（３−モルホリノプロポキシ）キナゾリンまたはその医薬的に許容な塩（以下、「薬剤」と称す）、および水溶性セルロースエーテルまたは水溶性セルロースエーテルのエステルを含む医薬組成物。
【請求項２】
「薬剤」および水溶性セルロースエーテルを含み、ここで水溶性セルロースエーテルが、ヒドロキシエチルセルロース、ヒドロキシプロピルセルロース、ヒドロキシプロピルメチルセルロースおよびカルボキシメチルセルロースの水溶性塩から選択される、請求項１に記載の医薬組成物。
【請求項３】
「薬剤」および水溶性セルロースエーテルのエステルを含み、ここで水溶性セルロースエーテルのエステルが、アセテート、サクシネート、フタレート、イソフタレート、テレフタレートおよびトリメリテートから選択される１以上のエステル基を有する、ヒドロキシプロピルメチルセルロースまたはヒドロキシプロピルセルロースのエステルである、請求項１に記載の医薬組成物。
【請求項４】
水溶性セルロースエーテルまたは水溶性セルロースエーテルのエステルが、ヒドロキシプロピルセルロース、ヒドロキシエチルセルロース、メチルセルロース、カルボキシメチルセルロースナトリウムおよびヒドロキシプロピルメチルセルロースアセテートサクシネートから選択される請求項１に記載の医薬組成物。
【請求項５】
「薬剤」およびヒドロキシプロピルメチルセルロースを含む請求項１に記載の医薬組成物。
【請求項６】
水溶性セルロースエーテルがヒドロキシプロピルメチルセルロースではない、請求項１または２のいずれか１項に記載の医薬組成物。
【請求項７】
水溶性セルロースエーテルおよび水溶性セルロースエーテルのエステルに対する「薬剤」の重量比が４０：１〜２．５：１である、請求項１〜６のいずれか１項に記載の医薬組成物。
【請求項８】
さらに湿潤剤を含む、請求項１〜７のいずれか１項に記載の医薬組成物。
【請求項９】
湿潤剤が医薬的に許容なカチオン性またはアニオン性界面活性剤から選択される、請求項８に記載の医薬組成物。
【請求項１０】
湿潤剤がアルカリ金属（８−２０Ｃ）アルキルスルフェートである、請求項８に記載の医薬組成物。
【請求項１１】
「薬剤」、水溶性セルロースエーテルおよび／または水溶性セルロースエーテルのエステル、湿潤剤、および１以上の充填剤、結合剤、崩壊剤または滑沢剤を含む、請求項１〜１０のいずれか１項に記載の医薬組成物。
【請求項１２】
（ａ）１０〜８０部の、４−（３’−クロロ−４’−フルオロアニリノ）−７−メトキシ−６−（３−モルホリノプロポキシ）キナゾリンまたはその医薬的に許容な塩（以下、「薬剤」と称す）；
（ｂ）０．０５〜５部の、アニオン性界面活性剤から選択される湿潤剤；
（ｃ）１０〜６０部の、ラクトース、マンニトールおよび微結晶セルロースから選択される１以上の充填剤；
（ｄ）１〜１０部の、カルボキシメチルセルロースナトリウム、カルボキシメチルセルロースカルシウム、クロスカルメロースナトリウム、クロスポビドンおよびスターチグリコレートナトリウムから選択される１以上の崩壊剤；
（ｅ）１〜２０部の、ポリビニルピロリドンおよびヒドロキシプロピルメチルセルロースから選択される結合剤；および
（ｆ）０〜３部の滑沢剤；
を含み、ここですべての部は重量部であり、（ａ）〜（ｆ）の各部の合計が１００であり、（ｄ）または（ｅ）から選択される少なくとも１つの成分は、ヒドロキシプロピルメチルセルロースおよびカルボキシメチルセルロースナトリウムから選択される水溶性セルロースエーテルを含む、医薬組成物。
【請求項１３】
経口投与に適合する固形医薬組成物である、請求項１〜１２のいずれか１項に記載の医薬組成物。
【請求項１４】
（ｉ）４−（３’−クロロ−４’−フルオロアニリノ）−７−メトキシ−６−（３−モルホリノプロポキシ）キナゾリンまたはその医薬的に許容な塩（「薬剤」）を含む核；および
（ｉｉ）水溶性セルロースエーテルのエステルまたは水溶性セルロースエーテルを含むコーティング
を含有する固形医薬組成物。
【請求項１５】
経口投与に適合した錠剤、ペレットまたは顆粒である請求項１４に記載の固形医薬組成物であり、フィルムコーティングにより被覆された核を含み、核が：
４４〜５５％の「薬剤」；
２５〜４０％のラクトース；
５〜１５％の微結晶セルロース；
２〜６％の崩壊剤；
１〜５％のポビドン；
０．０５〜１％のドデシル硫酸ナトリウム；および
０．１〜４％の滑沢剤；
を含み、フィルムコーティングが：
０．５〜３％の水溶性セルロースエーテル；
０〜０．５％の可塑剤；
０〜０．５％の分散助剤；
０〜０．５％の乳白剤；および
０〜０．５％の着色料；
を含み、ここで、すべての％は組成物の総重量に基づく重量％である、前記組成物。
【請求項１６】
「薬剤」が４−（３’−クロロ−４’−フルオロアニリノ）−７−メトキシ−６−（３−モルホリノプロポキシ）キナゾリンである、請求項１〜１５のいずれか１項に記載の医薬組成物。
【請求項１７】
４−（３’−クロロ−４’−フルオロアニリノ）−７−メトキシ−６−（３−モルホリノプロポキシ）キナゾリンまたはその医薬的に許容な塩を、水溶性セルロースエーテルおよび／または水溶性セルロースエーテルのエステルと混合することを含む、医薬組成物の製造方法。
【請求項１８】
「薬剤」（ここで「薬剤」は請求項１に定義されたとおりである）の水溶液からの析出を抑制するための水溶性セルロースエーテルまたは水溶性セルロースエーテルのエステルの使用。